(57)【要約】【課題】  １つのレールを別のレールに容易に取り付けることができるスライドレールアセンブリ及びその取り付け方法を提供すること。【解決手段】  スライドレールアセンブリを開示する。スライドレールアセンブリは第１のレール、第２のレール及びガイド構造を含む。第１のレールは第１の壁、第２の壁及び第１の壁と第２の壁との間に接続される長手壁を含む。第１の壁、第２の壁及び長手壁は共同して通路を定義し、通路は通路開口を有する。ガイド構造は通路の通路開口に隣接して配置されるともに、通路開口を通じて第２のレールを通路内に取り付けるためにガイドする。【選択図】  図３
2019037749.tif 000002
【特許請求の範囲】
【請求項１】
第１の壁、第２の壁及び該第１の壁と該第２の壁との間に接続される長手壁を含む第１のレールであって、該第１の壁、該第２の壁及び該長手壁は共同で通路を定義し、該通路は通路開口を有する、第１のレールと、
第２のレールと、
前記通路の通路開口に隣接して配置されるとともに、前記通路開口を通じて前記第２のレールを前記通路内に取り付けるためにガイドするガイド構造と、
を含むスライドレールアセンブリ。
【請求項２】
前記ガイド構造は第１のガイド部を含み、
前記第１のガイド部は前記第１の壁及び前記第２の壁の一方に隣接して配置され、前記第１のガイド部は前記第１の壁及び前記第２の壁の一方から延びて前記通路開口を越えて位置している、請求項１に記載のスライドレールアセンブリ。
【請求項３】
前記ガイド構造は第２のガイド部をさらに含み、
前記第２のガイド部は前記第１の壁及び前記第２の壁の他方に隣接して配置され、前記第２のガイド部は前記第１の壁及び前記第２の壁の他方から延びて前記通路開口を越えて位置している、請求項２に記載のスライドレールアセンブリ。
【請求項４】
前記ガイド構造は第３のガイド部を含み、
前記第３のガイド部は前記長手壁に隣接して配置され、前記第３のガイド部は前記長手壁から延びて前記通路開口を越えて位置している、請求項１に記載のスライドレールアセンブリ。
【請求項５】
前記ガイド構造は第１のガイド部、第２のガイド部及び第３のガイド部を含み、
前記第１のガイド部、前記第２のガイド部及び前記第３のガイド部の少なくとも１つは傾斜面又は弧面を含む、請求項１に記載のスライドレールアセンブリ。
【請求項６】
第３のレールをさらに含み、
前記第１のレールは前記第３のレール及び前記第２のレールの間に取り付けられ、
前記第３のレールは第１の外壁、第２の外壁及び該第１の外壁と該第２の外壁との間に接続される中間壁を含み、
前記ガイド構造は端部を有し、該端部は前記第３のレールの中間壁に実質的に対応する位置にある、請求項１に記載のスライドレールアセンブリ。
【請求項７】
第１の壁、第２の壁及び長手壁を含む第１のレールであって、該長手壁は長手方向、高さ方向及び横方向を有するとともに該第１の壁と該第２の壁との間に接続され、該長手壁は該長手方向と実質的に平行に配置され、該高さ方向は前記長手方向に対して実質的に垂直であるとともに前記第１の壁及び前記第２の壁を通過し、該横方向は前記長手方向及び前記高さ方向に対して実質的に垂直であり、前記第１の壁、前記第２の壁及び前記長手壁は共同で通路を定義する、第１のレールと、
第２のレールと、
前記第１のレールに配置されるガイド構造であって、該ガイド構造は、前記第２のレールを前記第１のレールに取り付けるために、前記第２のレールを前記通路の外から前記通路の内部に前記長手壁の高さ方向及び横方向の少なくとも１つにガイドする、ガイド構造と、
を含むスライドレールアセンブリ。
【請求項８】
前記ガイド構造は第１のガイド部、第２のガイド部及び第３のガイド部を含み、
前記第１のガイド部は前記第１の壁及び前記第２の壁の一方に隣接して配置され、前記第２のガイド部は前記第１の壁及び前記第２の壁の他方に隣接して配置され、
前記第３のガイド部は前記長手壁に隣接して配置され、前記第３のガイド部は傾斜面又は弧面を含む、請求項７に記載のスライドレールアセンブリ。
【請求項９】
第３のレールをさらに含み、前記第１のレールは前記第３のレールと前記第２のレールとの間に取り付けられる、請求項７に記載のスライドレールアセンブリ。
【請求項１０】
スライドレールのための取り付け方法であって、
長手方向に対して実質的に平行に配置される長手壁を備える第１のレールを提供するステップであって、該第１のレールは通路を含む、ステップと、
前記第１のレールに配置されるガイド構造を提供するステップと、
第２のレールを提供するステップと
を含み、
前記ガイド構造は、前記第２のレールを前記第１のレールの通路内に高さ方向及び横方向の少なくとも１つにガイドし、該長手方向、該高さ方向及び該横方向は互いに対して実質的に垂直である、方法。
【発明の詳細な説明】
【技術分野】
【０００１】
本発明はスライドレールアセンブリ及びスライドレールのための取り付け方法に関し、より具体的には１つのスライドレールを別のスライドレールに容易に取り付けることができるスライドレールアセンブリ及びその取り付け方法に関する。
【背景技術】
【０００２】
一般に、スライドレールアセンブリは２段スライド又は３段スライドを含むことができる。図１に示すように、３段スライドの場合、３段スライドは第１のレール１００、第２のレール１０２及び第３のレール１０４を含む。第１のレール１００、第２のレール１０２及び第３のレール１０４は互い可動である。第２のレール１０２は第１のレール１００と第３のレール１０４との間で可動に取り付けられている。第３のレール１０４は保持物体１０６をラック又はキャビネット等の固定物体に対して引き出すか又は格納することができるように保持物体１０６を取り付けるためのものである。第３のレール１０４は通路開口１０８を通じて第２のレール１０２から取り外すことができる。
【先行技術文献】
【特許文献】
【０００３】
【特許文献１】米国特許第８１８６７７９号明細書
【特許文献２】米国特許第８７８０５６５号明細書
【発明の概要】
【発明が解決しようとする課題】
【０００４】
しかしながら、図１及び図２に示すように、第３のレール１０４を方向Ｄに動かして第２のレール１０２に取り付けることが望ましい場合、保持物体１０６によってユーザーの視界が遮られるか又は他の要因によって第３のレール１０４を第２のレール１０２の通路開口１０８に揃える際にユーザーは不便を感じる。そのため、レールの組み立てが不便となる。
【０００５】
本発明は１つのレールを別のレールに容易に取り付けることができるスライドレールアセンブリ及びその取り付け方法を提供する。
【課題を解決するための手段】
【０００６】
本発明の一実施形態によれば、スライドレールアセンブリは第１のレール、第２のレール及びガイド構造を含む。第１のレールは第１の壁、第２の壁及び該第１の壁と該第２の壁との間に接続される長手壁を含む。第１の壁、第２の壁及び長手壁は共同で通路を定義し、通路は通路開口を有する。ガイド構造は通路の通路開口に隣接して配置されるとともに、通路開口を通じて第２のレールを通路内に取り付けるためにガイドする。
【０００７】
本発明の一実施形態によれば、スライドレールアセンブリは第１のレール、第２のレール及びガイド構造を含む。第１のレールは第１の壁、第２の壁及び長手壁を含む。長手壁は長手方向、高さ方向及び横方向（transverse  direction）を有するとともに第１の壁と第２の壁との間に接続されている。長手壁は長手方向と実質的に平行に配置されている。高さ方向は長手方向に対して実質的に垂直であるとともに第１の壁及び第２の壁を通過する。横方向は長手方向及び高さ方向に対して実質的に垂直である。第１の壁、第２の壁及び長手壁は共同で通路を定義する。ガイド構造は第１のレールに配置される。ガイド構造は、第２のレールを第１のレールに取り付けるために、第２のレールを通路の外から通路の内部に長手壁の高さ方向及び横方向の少なくとも１つにガイドする。
【０００８】
本発明の一実施形態によれば、スライドレールのための取り付け方法は長手方向に対して実質的に平行に配置される長手壁を備える第１のレールを提供するステップであって、第１のレールは通路を含む、ステップと、第１のレールに配置されるガイド構造を提供するステップと、第２のレールを提供するステップとを含む。ガイド構造は、第２のレールを第１のレールの通路内に高さ方向及び横方向の少なくとも１つにガイドし、長手方向、高さ方向及び横方向は互いに対して実質的に垂直である。
【０００９】
様々な図面に図示する下記の好ましい実施形態の詳細な説明を読み終えた後、本発明の上記の目的及び他の目的が当業者に間違いなく明らかになる。
【図面の簡単な説明】
【００１０】
【図１】図１は、先行技術におけるスライドレールアセンブリの１つのレールが別のレールから分離されている状態を示す図である。
【図２】図２は、先行技術におけるスライドレールアセンブリの１つのレールが通路開口を通じて別のレールに取り付けられている状態を示す図である。
【図３】図３は、本発明の一実施形態に係るスライドレールアセンブリの概略図である。
【図４】図４は、本発明の実施形態に係るスライドレールアセンブリの第１のレール、第２のレール及び第３のレールを示す分解図である。
【図５】図５は、本発明の実施形態に係るスライドレールアセンブリの第１のレールを示す図である。
【図６】図６は、本発明の実施形態に係る、第１のレール及び第３のレールから分離された第２のレールを示す図である。
【図７】図７は、本発明の実施形態に係る、ガイド構造の第１のガイド部によってガイドされて第１のレールの通路に至る第２のレールを示す図である。
【図８】図８は、本発明の実施形態に係る、ガイド構造の第２のガイド部によってガイドされて第１のレールの通路に至る第２のレールを示す図である。
【図９】図９は、本発明の実施形態に係る、ガイド構造の第２のガイド部によってガイドされて第１のレールの通路に入る第２のレールを示す図である。
【図１０】図１０は、本発明の実施形態に係る、第１のレールの通路内に引っ込められた第２のレールを示す図である。
【図１１】図１１は、本発明の実施形態に係る、第１のレールの通路の方に動かされた第２のレールを示す図である。
【図１２】図１２は、本発明の実施形態に係る、ガイド構造の第３のガイド部によってガイドされて第１のレールの通路に取り付けられる第２のレールを示す図である。
【発明を実施するための形態】
【００１１】
図３及び図４に示すように、スライドレールアセンブリ２０は第１のレール２２、第２のレール２４及びガイド構造２６を含む。スライドレールアセンブリ２０は第３のレール２８をさらに含み、第１のレール２２は第３のレール２８と第２のレール２４との間で可動に取り付けられていることが好ましい。
【００１２】
第３のレール２８は第１の外壁（lateral  wall）２８ａ、第２の外壁２８ｂ及び中間壁２８ｃを含む。中間壁２８ｃは第１の外壁２８ａと第２の外壁２８ｂとの間に接続され、第１の外壁２８ａ、第２の外壁２８ｂ及び中間壁２８ｃは共同でレール通路２９を定義する。
【００１３】
第１のレール２２は第３のレール２８のレール通路２９内に取り付けられる。第１のレール２２は第１の壁３０ａ、第２の壁３０ｂ及び長手壁３２を含む。長手壁３２は第１の壁３０ａと第２の壁３０ｂとの間に接続されている。第１の壁３０ａ、第２の壁３０ｂ及び長手壁３２は共同で通路３４を定義し、通路３４は通路開口３５を有する。
【００１４】
第２のレール２４は第１のレール２２の通路３４に取り付けられる。第２のレール２４は第３の壁３６ａ、第４の壁３６ｂ及び側壁３８を含む。側壁３８は第３の壁３６ａと第４の壁３６ｂとの間に接続される。
【００１５】
ガイド構造２６が第１のレール２２に配置される。第１のレール２２の通路３４の通路開口３５に隣接して配置されるガイド構造２６を一例として以下説明する。ガイド構造２６及び第１のレール２２は一体的に形成できる。あるいは、ガイド構造２６は第１のレール２２と一体的に形成されておらず、例えば、ガイド構造２６はリベット部材３９を含む付属品により第１のレール２２に固定接続される。リベット部材３９を含む付属品は一例であり、本発明はこのような構成に限定されない。
【００１６】
図５に示すように、ガイド構造２６は第１のガイド部４０、第２のガイド部４２及び第３のガイド部４４を含む。本発明では第３のガイド部４４は省略することができる。本実施形態では、ガイド構造２６は一例として第１のガイド部４０、第２のガイド部４２及び第３のガイド部４４を含むが、本発明はこのような構成に限定されない。第１のガイド部４０及び第２のガイド部４２は第３のガイド部４４の両側に配置される。第１のガイド部４０及び第２のガイド部４２は構造的に実質的に同一の構成を有することが好ましい。
【００１７】
第１のガイド部４０は第１のレール２２の第１の壁３０ａ及び第２の壁３０ｂの一方に隣接して配置されることが好ましい。例えば、第１のガイド部４０は第１の壁３０ａの前端に隣接して配置される。第２のガイド部４２は第１のレール２２の第１の壁３０ａ及び第２の壁３０ｂの他方に隣接して配置される。例えば、第２のガイド部４２は第２の壁３０ｂの前端に隣接して配置される。第３のガイド部４４は第１のレール２２の長手壁３２の前端に隣接して配置される。
【００１８】
第１のガイド部４０は第１のレール２２の第１の壁３０ａから延びて通路開口３５を越えて位置していることが好ましい。第２のガイド部４２は第１のレール２２の第２の壁３０ｂから延びて通路開口３５を越えて位置している。第３のガイド部４４は第１のレール２２の長手壁３２から延びて通路開口３５を越えて位置している。
【００１９】
図６に示すように、第１のレール２２及び第３のレール２８は引っ込められた状態にある。第２のレール２４は通路開口３５を通じて第１のレール２２の通路３４から分離され、通路３４の外側に位置している。即ち、第２のレール２４は第１のレール２２から取り外し可能である。このような取り外しのための機構は当業者に既知であり、本願では簡潔性のために説明を省略する。
【００２０】
図６、図７及び図８に示すように、第１のレール２２及び第２のレール２４の第１の構成において、第２のレール２４を方向Ｄに動かして第１のレール２２に取り付けることが望ましい場合、第２のレール２４は、第２のレール２４が通路開口３５を通じて第１のレール２２の通路３４内に取り付けられるようにガイド構造２６の（図７に示すように）第１のガイド部４０又は（図８に示すように）第２のガイド部４２によってガイドされる。加えて、第１のレール２２の長手壁３２は長手方向Ｌ及び高さ方向Ｈを有する。長手壁３２は長手方向Ｌと実質的に平行に配置されている。高さ方向Ｈは長さ方向Ｌに対して実質的に垂直であり、第１のレール２２の第１の壁３０ａ及び第２の壁３０ｂを通過する。さらに、第２のレール２４を第１のレール２２に取り付けるプロセスの間、第１のレール２２の長手壁３２の長さ方向Ｌに対して実質的に垂直な高さ方向Ｈに第２のレール２４を通路３４の外部から通路３４の内部にガイドするためにガイド構造２６を用いることができる。
【００２１】
例えば、第１のガイド部４０は傾斜面又は弧面を含む。第２のレール２４を第１のレール２２に取り付けるプロセスの間、第２のレール２４の端部は図７に示すように第２のレール２４が第１のレール２２の通路３４の外（又は通路開口３５の外）から下方にガイドされて通路３４に至るようにガイド構造２６の第１のガイド部４０によってガイドされる。このようなデザインの利点の１つは、第２のレール２４の端部が第１のレール２２の第１の壁３０ａの前端に当たるのが防止されるか又は第２のレール２４の端部が第３のレール２８の第１の外壁２８ａの前端に当たるのが防止される点である。加えて、第２のガイド部４２は傾斜面又は弧面を含む。第２のレール２４を第１のレール２２に取り付けるプロセスの間、第２のレール２４の端部は図８に示すように第２のレール２４が第１のレール２２の通路３４の外（又は通路開口３５の外）から上方にガイドされて通路３４に至るようにガイド構造２６の第２のガイド部４２によってガイドされる。このようなデザインの利点の１つは、第２のレール２４の端部が第１のレール２２の第２の壁３０ｂの前端に当たるのが防止されるか又は第２のレール２４の端部が第３のレール２８の第２の外壁２８ｂの前端に当たるのが防止される点である。  図９及び図１０に示すように、第１のガイド部４０によって又は第２のガイド部４２によって第２のレール２４が通路３４の外（又は通路開口３５の外）から通路３４の内部にガイドされた後、第２のレール２４が第１のレール２２に取り付けられる作業プロセスが完了する。
【００２２】
図１１及び図１２に示すように、第１のレール２２及び第３のレール２８は引っ込められた状態にある。第１のレール２２の長手壁３２は横方向Ｓをさらに有する。横方向Ｓは長手方向Ｌ及び高さ方向Ｈに対して実質的に垂直である。第１のレール２２及び第２のレール２４の第２の構成において、第２のレール２４を方向Ｄに動かして第１のレール２２に取り付けることが望ましい場合、第２のレール２４が通路開口３５を通じて第１のレール２２の通路３４内に取り付けることができるように第２のレール２４はガイド構造２６の第３のガイド部４４によってガイドされる。さらに、第２のレール２４を第１のレール２２に取り付けるプロセスの間、第１のレール２２の長手壁３２の長手方向Ｌに対して実質的に垂直な横方向Ｓに通路３４の外から通路３４の内部に第２のレール２４をガイドするためにガイド構造２６を用いることができる。ガイド構造２６は第３のガイド部４４に隣接する端部４６を有し、端部４６は第３のレール２８の中間壁２８ｃに実質的に対応する位置にある。さらに、端部４６は第３のレール２８の中間壁２８ｃの前に位置している。
【００２３】
例えば、第３のガイド部４４は傾斜面又は弧面を含む。第２のレール２４を第１のレール２２に取り付けるプロセスの間、第２のレール２４の端部は第２のレール２４が第１のレール２２の通路３４の外（又は通路開口３５の外）から横方向にガイドされて通路３４に至るようにガイド構造２６の第３のガイド部４４によってガイドされる。このようなデザインの利点の１つは第２のレール２４の端部が第１のレール２２の長手壁３２の前端に当たるのが防止されるか又は第２のレール２４の端部が第３のレール２８の中間壁２８ｃの前端に当たるのが防止される点である。
【００２４】
なお、第３のガイド部４４は第１の傾斜面４４０、第２の傾斜面４４１及び第３の傾斜面４４２を含むことができる。第１の傾斜面４４０は第２のレール２４の側壁３８に対応する。第２の傾斜面４４１及び第３の傾斜面４４２は第１の傾斜面４４０の両側に配置されている。第２の傾斜面４４１は第２のレール２４の第３の壁３６ａに対応する。第３の傾斜面４４２は第２のレール２４の第４の壁３６ｂに対応する。第２のレール２４を第１のレール２２に取り付けるプロセスの間、第１の傾斜面４４０、第２の傾斜面４４１及び第３の傾斜面４４２は、第２のレール２４の端部に対する第３のガイド部４４のガイド効果を高め、それにより第１のレール２２への第２のレール２４の取り付けを促進するために側壁３８、第３の壁３６ａ及び第４の壁３６ｂを横方向にガイドし得る。
【００２５】
加えて、本発明はスライドレールのための取り付け方法をさらに提供する。取り付け方法は長手壁３２を備える第１のレール２２を提供するステップを含む。長手壁３２は長手方向Ｌと実質的に平行に配置されている。第１のレール２２は通路３４を含む。取り付け方法は、第１のレール２２に配置されるガイド構造２６を提供するステップ及び第２のレール２４を提供するステップをさらに含む。ガイド構造２６は、第２のレール２４を第１のレール２２の通路３４内に高さ方向Ｈ及び横方向Ｓの少なくとも１つにガイドする。長さ方向Ｌ、高さ方向Ｈ及び横方向Ｓは互いに対して実質的に垂直である。取り付け方法の詳細な説明は上記の段落で記載されているため、ここでは簡潔性のために省略する。
【００２６】
先行技術と比較した場合、本発明のスライドレールアセンブリは先行技術よりも下記の利点を有する。
【００２７】
１）ガイド構造２６は第２のレール２４を通路３４の外から通路３４の内部に動かして第１のレール２２に取り付けるのを促進する。
【００２８】
２）ガイド構造２６は第２のレール２４を長手方向Ｌとは異なる方向（例えば高さ方向Ｈ又は横方向Ｓ）にガイドして第１のレール２２の通路３４内に入れることができる。
【００２９】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３０】
２０  スライドレールアセンブリ
２２  第１のレール
２４  第２のレール
２６  ガイド構造
２８ａ  第１の外壁
２８ｂ  第２の外壁
３０ａ  第１の壁
３０ｂ  第２の壁
３２  長手壁
３４  通路
３６ａ  第３の壁
３６ｂ  第４の壁
３８  側壁
４０  第１のガイド部
４２  第２のガイド部
４４  第３のガイド部
４６  端部
【図１】
2019037749.tif 000003
【図２】
2019037749.tif 000004
【図３】
2019037749.tif 000005
【図４】
2019037749.tif 000006
【図５】
2019037749.tif 000007
【図６】
2019037749.tif 000008
【図７】
2019037749.tif 000009
【図８】
2019037749.tif 000010
【図９】
2019037749.tif 000011
【図１０】
2019037749.tif 000012
【図１１】
2019037749.tif 000013
【図１２】
2019037749.tif 000014